(57)【特許請求の範囲】
【請求項１】
複数の湾曲部が存在する脊椎を示す脊椎画像を表示手段のモニタ画面に表示させ、当該表示された脊椎画像から各湾曲部のコブ角を計測する画像計測装置であって、
前記モニタ画面に表示された脊椎画像において前記脊椎の延在方向に交差する方向のコブ角計測用の補助線を描画する位置を指定するための操作手段と、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段と、
前記描画された各補助線の描画順において相隣る二つの補助線同士が互いになす角度をコブ角として計測する計測手段と、
を備え、
前記描画制御手段は、前記モニタ画面に表示された脊椎画像の前記脊椎の延在方向のうちいずれか一方向に沿う順序でのみ前記各補助線の描画を許可する画像計測装置。
【請求項２】
前記描画制御手段は、更に、前記モニタ画面の前記各補助線の描画を禁止する領域では、前記操作手段による描画位置を示す図形を前記各補助線の描画を許可する領域における表示とは変更する、
請求項１に記載の画像計測装置。
【請求項３】
前記描画制御手段は、更に、前記モニタ画面の前記各補助線の描画を禁止する領域を、前記各補助線の描画を許可する領域とは異なる色で表示させる、
請求項１又は２に記載の画像計測装置。
【請求項４】
複数の湾曲部が存在する脊椎を示す脊椎画像を保存する画像サーバ装置と、当該画像サーバ装置から取得した脊椎画像を表示手段のモニタ画面に表示させ、当該表示された脊椎画像から各湾曲部のコブ角を計測する画像計測装置とが通信ネットワークを介してデータ通信可能に接続された医用画像システムであって、
前記画像計測装置は、
前記モニタ画面に表示された脊椎画像において前記脊椎の延在方向に交差する方向のコブ角計測用の補助線を描画する位置を指定するための操作手段と、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段と、
前記描画された各補助線の描画順において相隣る二つの補助線同士が互いになす角度をコブ角として計測する計測手段と、
を備え、
前記描画制御手段は、前記モニタ画面に表示された脊椎画像の前記脊椎の延在方向のうちいずれか一方向に沿う順序でのみ前記各補助線の描画を許可する医用画像システム。
【請求項５】
複数の湾曲部が存在する脊椎を示す脊椎画像を表示手段のモニタ画面に表示させ、当該表示された脊椎画像から各湾曲部のコブ角を計測するコンピュータを、
前記モニタ画面に表示された脊椎画像において前記脊椎の延在方向に交差する方向のコブ角計測用の補助線を描画する位置を指定するための操作手段、
前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段、
前記描画された各補助線の描画順において相隣る二つの補助線同士が互いになす角度をコブ角として計測する計測手段、
として機能させるためのプログラムであって、
前記描画制御手段は、前記モニタ画面に表示された脊椎画像の前記脊椎の延在方向のうちいずれか一方向に沿う順序でのみ前記各補助線の描画を許可するプログラム。
【発明の詳細な説明】
【技術分野】
【０００１】
本発明は、画像計測装置、医用画像システム及びプログラムに関する。
【背景技術】
【０００２】
従来、整形外科等の医療分野の診断において、Ｘ線等の放射線により患者を撮影した画像が用いられている。医師は、フィルムに出力した放射線画像を観察読影するとともに、診断に用いる数値や角度を得るために放射線画像上に計測すべき位置を赤鉛筆等でマーキングし、定規や分度器等の計測器具を用いてマーキングされた位置の距離や角度等を計測する。
【０００３】
近年、医療分野においてもデジタル化が進み、病院内で生成される放射線画像は、ほとんどがデジタル画像としてワークステーション又はＰＡＣＳ（Picture Archiving and Communication System）で保存されている。デジタル画像の場合、画像をモニタ画面上に表示させ、この画面上で計測に用いる線（以下、補助線という。）を手動又は自動で指定することによって、距離や角度等の計測を自動化したり、一度引いた補助線を移動したりすることができるため、医師や放射線技師等の計測に要する負担を大幅に軽減させることが可能となった。
【０００４】
例えば、側弯症の診断には、コブ角が用いられる。側弯症とは、脊柱が側方へ曲がる病気である。高度の側弯では、胸郭が著しく変形し、そのため肺の機能が低下する。コブ角が２５度未満の場合は３か月毎の経過観察、２５〜４０度の場合は装具療法が必要で季節休暇毎の観察、５０〜６０度以上の場合は手術療法等、コブ角が治療の目安となる。
【０００５】
コブ角とは、脊椎において側弯を示している部分（湾曲部）の上下端にある終椎（傾斜角の最も大きな椎体）の上位終椎の上面と下位終椎の下面のなす角をいう。具体的には、脊椎を撮影した画像をモニタ画面に表示させ、モニタ画面上で湾曲部の上位終椎の軸方向上端及び下位終椎の軸方向下端に沿って補助線を引き、二つの補助線のなす角度を計測する。
【０００６】
図１１に示すように、脊椎において湾曲部が二つある場合には、各湾曲部を人体の頭から足に向かう方向（以下、頭尾方向という。）に順に第一カーブ、第二カーブという。第一カーブのコブ角ａは、第一カーブの上位終椎の軸方向上端に沿って引かれた補助線Ｌ１と第一カーブの下位終椎の軸方向下端に沿って引かれた補助線Ｌ２とのなす角度である。第二カーブのコブ角ｂは、第二カーブの上位終椎の軸方向上端に沿って引かれた補助線Ｌ２（第一カーブの下位終椎の軸方向下端に沿って引かれた線と一致）と第二カーブの下位終椎の軸方向下端に沿って引かれた補助線Ｌ３とのなす角度である。
【０００７】
図１２に示すように、脊椎において湾曲部が三つある場合には、各湾曲部を頭尾方向に順に第一カーブ、第二カーブ、第三カーブという。第一カーブのコブ角ｃは、第一カーブの上位終椎の軸方向上端に沿って引かれた補助線Ｌ４と第一カーブの下位終椎の軸方向下端に沿って引かれた補助線Ｌ５とのなす角度である。第二カーブのコブ角ｄは、第二カーブの上位終椎の軸方向上端に沿って引かれた補助線Ｌ５（第一カーブの下位終椎の軸方向下端に沿って引かれた線と一致）と第二カーブの下位終椎の軸方向下端に沿って引かれた補助線Ｌ６とのなす角度である。第三カーブのコブ角ｅは、第三カーブの上位終椎の軸方向上端に沿って引かれた補助線Ｌ６（第二カーブの下位終椎の軸方向下端に沿って引かれた線と一致）と第三カーブの下位終椎の軸方向下端に沿って引かれた補助線Ｌ７とのなす角度である。
【０００８】
コブ角等の角度を計測する場合には、角度を形成する２直線の位置を指定する必要がある。描画した２直線の位置を後から調整する際に、一対（ペア）でのみ調整を許可することとすると、一方の直線だけを引き直したり、移動させたりすることができない。そこで、表示部に表示された医用画像上に複数の直線を描画し、描画した２本の直線間の角度を計測する画像計測装置において、描画された各直線を独立して変更・編集・削除することができる技術が提案されている（特許文献１参照）。
【特許文献１】特開２００６−１９２１０４号公報
【発明の開示】
【発明が解決しようとする課題】
【０００９】
しかし、現在使用されている計測機能のほとんどは、補助線を描画する順序によって角度の計測に用いるべき二つの補助線を決定している。例えば、脊椎画像において湾曲部が二つある場合、１番目に描画した補助線と２番目に描画した補助線とのなす角度を第一カーブのコブ角として計測し、２番目に描画した補助線と３番目に描画した補助線とのなす角度を第二カーブのコブ角として計測している。
【００１０】
例えば、図１３に示すように、ユーザが第一カーブの上位終椎の軸方向上端に沿って１番目に補助線Ｌ８を引き、第二カーブの下位終椎の軸方向下端に沿って２番目に補助線Ｌ９を引き、第一カーブの下位終椎の軸方向下端（第二カーブの上位終椎の軸方向上端）に沿って３番目に補助線Ｌ１０を引いた場合であっても、補助線Ｌ８と補助線Ｌ９とのなす角度を第一カーブのコブ角として計測し、補助線Ｌ９と補助線Ｌ１０とのなす角度を第二カーブのコブ角として計測してしまうという問題があった。ユーザは、第一カーブのコブ角として計測された値が補助線Ｌ８と補助線Ｌ１０とのなす角度を示していると認識しているため、診断を誤るおそれがあった。また、通常のＰＡＣＳでは前回の画像処理条件を記憶しているため、補助線Ｌ８，Ｌ９，Ｌ１０を引く一連の操作が行われ、画像処理条件が保存された後、別の者が画像を閲覧した際には、更に誤診を招くおそれがあった。
【００１１】
本発明は、上記の従来技術における問題に鑑みてなされたものであって、脊椎画像のコブ角の計測における操作性を向上させるとともに、誤診を防止することを課題とする。
【課題を解決するための手段】
【００１２】
上記課題を解決するために、請求項１に記載の発明は、複数の湾曲部が存在する脊椎を示す脊椎画像を表示手段のモニタ画面に表示させ、当該表示された脊椎画像から各湾曲部のコブ角を計測する画像計測装置であって、前記モニタ画面に表示された脊椎画像において前記脊椎の延在方向に交差する方向のコブ角計測用の補助線を描画する位置を指定するための操作手段と、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段と、前記描画された各補助線の描画順において相隣る二つの補助線同士が互いになす角度をコブ角として計測する計測手段と、を備え、前記描画制御手段は、前記モニタ画面に表示された脊椎画像の前記脊椎の延在方向のうちいずれか一方向に沿う順序でのみ前記各補助線の描画を許可する。
【００１３】
請求項２に記載の発明は、請求項１に記載の画像計測装置において、前記描画制御手段は、更に、前記モニタ画面の前記各補助線の描画を禁止する領域では、前記操作手段による描画位置を示す図形を前記各補助線の描画を許可する領域における表示とは変更する。
【００１４】
請求項３に記載の発明は、請求項１又は２に記載の画像計測装置において、前記描画制御手段は、更に、前記モニタ画面の前記各補助線の描画を禁止する領域を、前記各補助線の描画を許可する領域とは異なる色で表示させる。
【００１５】
請求項４に記載の発明は、複数の湾曲部が存在する脊椎を示す脊椎画像を保存する画像サーバ装置と、当該画像サーバ装置から取得した脊椎画像を表示手段のモニタ画面に表示させ、当該表示された脊椎画像から各湾曲部のコブ角を計測する画像計測装置とが通信ネットワークを介してデータ通信可能に接続された医用画像システムであって、前記画像計測装置は、前記モニタ画面に表示された脊椎画像において前記脊椎の延在方向に交差する方向のコブ角計測用の補助線を描画する位置を指定するための操作手段と、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段と、前記描画された各補助線の描画順において相隣る二つの補助線同士が互いになす角度をコブ角として計測する計測手段と、を備え、前記描画制御手段は、前記モニタ画面に表示された脊椎画像の前記脊椎の延在方向のうちいずれか一方向に沿う順序でのみ前記各補助線の描画を許可する。
【００１６】
請求項５に記載の発明は、複数の湾曲部が存在する脊椎を示す脊椎画像を表示手段のモニタ画面に表示させ、当該表示された脊椎画像から各湾曲部のコブ角を計測するコンピュータを、前記モニタ画面に表示された脊椎画像において前記脊椎の延在方向に交差する方向のコブ角計測用の補助線を描画する位置を指定するための操作手段、前記操作手段からの操作に基づいて、前記モニタ画面に表示された脊椎画像の前記複数の湾曲部のそれぞれの上位終椎の軸方向上端及び下位終椎の軸方向下端に沿って前記補助線を描画する描画制御手段、前記描画された各補助線の描画順において相隣る二つの補助線同士が互いになす角度をコブ角として計測する計測手段、として機能させるためのプログラムであって、前記描画制御手段は、前記モニタ画面に表示された脊椎画像の前記脊椎の延在方向のうちいずれか一方向に沿う順序でのみ前記各補助線の描画を許可するプログラムである。
【発明の効果】
【００１７】
請求項１、４、５に記載の発明によれば、各補助線の脊椎の延在方向のうちいずれか一方向に沿う順序と描画順とを一致させることにより、脊椎画像のコブ角の計測における操作性を向上させるとともに、誤診を防止することができる。
【００１８】
請求項２に記載の発明によれば、描画位置を示す図形が各補助線の描画を禁止する領域にあることを認識しやすくなる。
【００１９】
請求項３に記載の発明によれば、各補助線の描画を許可する領域と禁止する領域とを識別可能に表示することができる。
【発明を実施するための最良の形態】
【００２０】
以下、図面を参照して、本発明に係る医用画像システムの一実施形態について説明する。
【００２１】
図１に、医用画像システム１００のシステム構成を示す。図１に示すように、医用画像システム１００では、ＲＩＳ（Radiological Information System：放射線情報システム）１０、モダリティ２０、画像サーバ装置３０及び画像計測装置４０が、ネットワークＮを介してデータ通信可能に接続されている。
【００２２】
ＲＩＳ１０は、放射線科部門内における診療予約、診断結果のレポート、実績管理、材料在庫管理等の情報管理を行う。ＲＩＳ１０は、撮影や診断の内容を示す検査オーダ情報を生成し、モダリティ２０に送信する。
【００２３】
モダリティ２０は、ＲＩＳ１０から送信された検査オーダ情報に基づいて、患者を撮影し、医用画像の画像データを生成する画像生成装置である。モダリティ２０は、画像データを画像サーバ装置３０に送信する。モダリティ２０としては、ＣＲ（Computed Radiography）装置、ＣＴ（Computed Tomography）装置、ＭＲＩ（Magnetic Resonance Imaging）装置等が用いられる。
【００２４】
画像サーバ装置３０は、ＰＡＣＳにより構成され、モダリティ２０から受信した医用画像の画像データのファイルを保存し、画像計測装置４０等の外部機器からの要求に応じて画像ファイルを提供する。
【００２５】
図２に、画像サーバ装置３０の機能的構成を示す。図２に示すように、画像サーバ装置３０は、制御部３１、操作部３２、表示部３３、通信部３４、ＲＯＭ（Read Only Memory）３５、記憶部３６を備えて構成され、各部はバス３７により接続されている。
【００２６】
制御部３１は、ＣＰＵ（Central Processing Unit）、ＲＡＭ（Random Access Memory）等から構成され、画像サーバ装置３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００２７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００２８】
表示部３３は、ＬＣＤ（Liquid Crystal Display）により構成され、制御部３１から入力される表示データに基づいて各種画面を表示する。
【００２９】
通信部３４は、ＲＩＳ１０、モダリティ２０、画像計測装置４０等の外部機器との間でデータの送受信を行うインターフェースである。
【００３０】
ＲＯＭ３５は、不揮発性の半導体メモリ等により構成され、制御プログラム、当該プログラムの実行に必要なパラメータやファイル等を記憶している。
【００３１】
記憶部３６は、ハードディスク等により構成され、各種データを記憶する。具体的には、記憶部３６には、画像ファイル、関連情報等が記憶される。画像ファイルは、モダリティ２０から受信した医用画像の画像データのファイルである。記憶部３６には、例えば、複数の湾曲部が存在する脊椎を示す脊椎画像の画像ファイルが保存されている。関連情報は、画像ファイルの画像に関連する情報をいい、各画像ファイルに対応付けられている。関連情報には、患者情報、検査情報等が含まれ、脊椎画像の場合には、コブ角の計測結果も含まれる。
【００３２】
コブ角は、脊椎において側弯を示している部分（湾曲部）の上下端にある終椎の上位終椎の上面と下位終椎の下面のなす角である。脊椎において湾曲部が複数存在する場合には、各湾曲部に対応するコブ角を、頭尾方向に順に第一カーブのコブ角、第二カーブのコブ角、・・・、という（図１１及び図１２参照）。
【００３３】
制御部３１は、画像計測装置４０から画像ファイルの取得要求があった場合に、要求された画像ファイルを記憶部３６から読み出し、画像計測装置４０に送信する。また、制御部３１は、画像計測装置４０から計測結果を受信した場合に、受信した計測結果を、計測対象の画像ファイルと対応付けて記憶部３６に保存する。
【００３４】
画像計測装置４０は、画像サーバ装置３０から取得した医用画像を表示させ、当該医用画像の診断に用いる数値や角度を計測するための装置であって、ＰＣ（Personal Computer）等から構成される。例えば、画像計測装置４０は、脊椎画像においては、側弯症の診断に用いるコブ角の計測を行う。
【００３５】
図３に、画像計測装置４０の機能的構成を示す。図３に示すように、画像計測装置４０は、制御部４１、操作部４２、表示部４３、通信部４４、ＲＯＭ４５、記憶部４６を備え、各部はバス４７により接続されている。
【００３６】
制御部４１は、ＣＰＵ、ＲＡＭ等から構成され、画像計測装置４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００３７】
操作部４２は、カーソルキー、数字入力キー、及び各種機能キー等を備えたキーボードと、マウス等のポインティングデバイスを備えて構成され、キーボードに対するキー操作やマウス操作により入力された操作信号を制御部４１に出力する。操作部４２は、表示部４３のモニタ画面に表示された脊椎画像において脊椎の延在方向に交差する方向のコブ角計測用の補助線を描画する位置を指定する際に用いられる。「脊椎の延在方向」とは、脊椎の連続方向（湾曲を伴う方向）に沿った厳密な意味での延在方向ではなく、側弯がなかった場合に脊椎が本来並んでいるべき方向、すなわち、頭尾方向又は尾頭方向（人体の足から頭に向かう方向）の意味で用いる。
【００３８】
表示部４３は、ＬＣＤにより構成され、制御部４１から入力される表示データに基づいて各種画面を表示する。具体的には、表示部４３は、脊椎画像等の医用画像を表示する。
【００３９】
通信部４４は、画像サーバ装置３０等の外部機器との間でデータの送受信を行うインターフェースである。
【００４０】
ＲＯＭ４５は、不揮発性の半導体メモリ等により構成され、制御プログラム、当該プログラムの実行に必要なパラメータやファイル等を記憶している。
【００４１】
記憶部４６は、ハードディスク等により構成され、各種データを記憶する。
【００４２】
制御部４１は、通信部４４を介して、画像サーバ装置３０に対して、記憶部３６に記憶されている医用画像の画像ファイルの取得要求を送信し、画像サーバ装置３０から医用画像の画像ファイルを取得する。制御部４１は、取得した医用画像の画像ファイルに基づいて、表示部４３のモニタ画面に医用画像を表示させる。本実施の形態では、脊椎画像の画像ファイルを取得し、表示部４３のモニタ画面に脊椎画像を表示させる場合について説明する。
【００４３】
制御部４１は、操作部４２のマウスからの操作に基づいて、表示部４３のモニタ画面に表示された脊椎画像の複数の湾曲部のそれぞれの上位終椎の軸方向上端及び下位終椎の軸方向下端に沿って補助線を描画する。その際、制御部４１は、表示部４３のモニタ画面に表示された脊椎画像の脊椎の延在方向のうち、頭尾方向に沿う順序でのみ各補助線の描画を許可する。図４に、表示部４３のモニタ画面における座標の取り方（モニタ座標系）を示す。図４に示すように、モニタ座標系では、モニタ画面の右方向をＸ軸の正方向とし、モニタ画面の下方向をＹ軸の正方向とする。
【００４４】
制御部４１は、表示部４３のモニタ画面の各補助線の描画を禁止する領域では、操作部４２のマウスによる描画位置を示す図形（マウスカーソル）を各補助線の描画を許可する領域における表示とは変更する。具体的には、制御部４１は、各補助線の描画を許可する領域では、マウスカーソルとして通常の矢印マークを表示させ、各補助線の描画を禁止する領域では、マウスカーソルとして禁止マーク（例えば、×マーク等）を表示させる。
【００４５】
制御部４１は、表示部４３のモニタ画面の各補助線の描画を禁止する領域を、各補助線の描画を許可する領域とは異なる色で表示させる。
【００４６】
制御部４１は、描画された各補助線の描画順（すなわち、頭尾方向順）において相隣る二つの補助線同士が互いになす角度をコブ角として計測する。具体的には、制御部４１は、脊椎画像に湾曲部が二つ存在する場合には、描画順が１番目の補助線（以下、第一補助線という。）と描画順が２番目の補助線（以下、第二補助線という。）とのなす角度を第一カーブのコブ角として計測し、第二補助線と描画順が３番目の補助線（以下、第三補助線という。）とのなす角度を第二カーブのコブ角として計測する。また、制御部４１は、脊椎画像に湾曲部が三つ存在する場合には、第一補助線と第二補助線とのなす角度を第一カーブのコブ角として計測し、第二補助線と第三補助線とのなす角度を第二カーブのコブ角として計測し、第三補助線と描画順が４番目の補助線（以下、第四補助線という。）とのなす角度を第三カーブのコブ角として計測する。
【００４７】
次に、動作を説明する。
図５は、画像サーバ装置３０において実行される処理を示すフローチャートである。この処理は、画像計測装置４０に対して計測対象となる医用画像を提供する処理であって、制御部３１のＣＰＵと、ＲＯＭ３５に記憶されているプログラムとの協働によるソフトウェア処理によって実現される。
【００４８】
まず、通信部３４により、画像計測装置４０から画像ファイルの取得要求が受信された場合には（ステップＳ１；ＹＥＳ）、制御部３１により、要求された画像ファイルが記憶部３６から読み出され、通信部３４を介して画像計測装置４０に送信される（ステップＳ２）。
【００４９】
次に、通信部３４により、画像計測装置４０から計測結果が受信された場合には（ステップＳ３；ＹＥＳ）、制御部３１により、受信した計測結果が、計測対象の画像ファイルと対応付けられて記憶部３６に保存される（ステップＳ４）。
以上で、画像サーバ装置３０における処理が終了する。
【００５０】
図６は、画像計測装置４０において実行される処理を示すフローチャートである。この処理は、制御部４１のＣＰＵと、ＲＯＭ４５に記憶されているプログラムとの協働によるソフトウェア処理によって実現される。図６では、二つの湾曲部が存在する脊椎を示す脊椎画像を計測対象とし、各湾曲部のコブ角を計測する場合について説明する。
【００５１】
まず、操作部４２からの操作により、計測対象となる脊椎画像の画像ファイルが選択され、制御部４１の制御に従って、通信部４４により、画像サーバ装置３０に対して、選択された脊椎画像の画像ファイルの取得要求が送信される。そして、制御部４１により、通信部４４を介して、画像サーバ装置３０から脊椎画像の画像ファイルが取得される（ステップＳ１１）。そして、制御部４１により、取得された脊椎画像の画像ファイルに基づいて、表示部４３のモニタ画面に脊椎画像が表示される（ステップＳ１２）。
【００５２】
次に、制御部４１により、操作部４２のマウスの位置に対応する表示部４３のモニタ画面上の座標を（Ｘｍ，Ｙｍ）とする割り当て処理が行われる（ステップＳ１３）。
【００５３】
次に、制御部４１により、第一補助線描画処理が行われる（ステップＳ１４）。第一補助線描画処理は、脊椎の延在方向に交差する方向の補助線のうち、第一カーブの上位終椎の軸方向上端に沿った補助線を描画する処理である。
【００５４】
ここで、図７を参照して、第一補助線描画処理を説明する。
図８（ａ）に示すように、マウスカーソルＭＣが第一補助線の始点となる位置に置かれた状態でユーザにより操作部４２のマウスボタンが押下され、第一補助線の始点位置が指定されると（ステップＳ２１；ＹＥＳ）、制御部４１により、マウスボタンが押下された位置のマウス座標（Ｘｍ，Ｙｍ）が取得され、１点目の座標（Ｘ１，Ｙ１）がＸ１＝Ｘｍ、Ｙ１＝Ｙｍと決定される（ステップＳ２２）。
【００５５】
次に、図８（ｂ）に示すように、マウスカーソルＭＣが第一補助線の終点となる位置に置かれた状態でユーザにより操作部４２のマウスボタンが押下され、第一補助線の終点位置が指定されると（ステップＳ２３；ＹＥＳ）、制御部４１により、マウスボタンが押下された位置のマウス座標（Ｘｍ，Ｙｍ）が取得され、２点目の座標（Ｘ２，Ｙ２）がＸ２＝Ｘｍ、Ｙ２＝Ｙｍと決定される（ステップＳ２４）。
【００５６】
次に、制御部４１により、表示部４３のモニタ画面に表示されている脊椎画像上に、１点目の座標（Ｘ１，Ｙ１）を画像座標系に変換した座標と、２点目の座標（Ｘ２，Ｙ２）を画像座標系に変換した座標とを結ぶ第一補助線が描画される（ステップＳ２５）。画像座標系とは、画像ファイルに固有の画像上における座標系をいう。
【００５７】
次に、制御部４１により、１点目のＹ座標Ｙ１が２点目のＹ座標Ｙ２より大きいか否かが判断される（ステップＳ２６）。１点目のＹ座標Ｙ１が２点目のＹ座標Ｙ２より大きい場合には（ステップＳ２６；ＹＥＳ）、制御部４１により、制御点ＹαがＹ１に決定される（ステップＳ２７）。制御点Ｙαとは、第二補助線を描画する際に、Ｙ座標がその値より大きい領域でのみ描画を許可する基準となる点である。一方、１点目のＹ座標Ｙ１が２点目のＹ座標Ｙ２以下の場合には（ステップＳ２６；ＮＯ）、制御部４１により、制御点ＹαがＹ２に決定される（ステップＳ２８）。
【００５８】
次に、図６に戻り、制御部４１により、第二補助線描画処理が行われる（ステップＳ１５）。第二補助線描画処理は、脊椎の延在方向に交差する方向の補助線のうち、第一カーブの下位終椎の軸方向下端（第二カーブの上位終椎の軸方向上端）に沿った補助線を描画する処理である。
【００５９】
ここで、図９を参照して、第二補助線描画処理を説明する。
まず、制御部４１により、操作部４２のマウスの位置に対応する表示部４３のモニタ画面上の位置のＹ座標Ｙｍが、図７のステップＳ２７又はステップＳ２８で決定された制御点Ｙαより大きいか否かが判断される（ステップＳ３１）。マウス位置のＹ座標Ｙｍが制御点Ｙα以下の場合（ステップＳ３１；ＮＯ）、すなわち、図８（ｃ）に示す領域Ａ１にマウスカーソルＭＣがある場合には、制御部４１により、表示部４３のモニタ画面に表示されているマウスカーソルＭＣが禁止マーク（例えば、×マーク等）に変更され（ステップＳ３２）、補助線の描画が禁止される。また、制御部４１により、領域Ａ１はモニタ画面の他の領域（補助線の描画を許可する領域）と異なる色で表示される。この場合、脊椎画像や描画した補助線は見えるように、領域Ａ１に彩色する際には半透明表示を用いる。
【００６０】
一方、マウス位置のＹ座標Ｙｍが制御点Ｙαより大きい場合には（ステップＳ３１；ＹＥＳ）、マウスカーソルＭＣは通常どおり矢印マークで表示され、補助線の描画が許可される。図８（ｃ）に示すように、マウスカーソルＭＣが第二補助線の始点となる位置に置かれた状態でユーザにより操作部４２のマウスボタンが押下され、第二補助線の始点位置が指定されると（ステップＳ３３；ＹＥＳ）、制御部４１により、マウスボタンが押下された位置のマウス座標（Ｘｍ，Ｙｍ）が取得され、３点目の座標（Ｘ３，Ｙ３）がＸ３＝Ｘｍ、Ｙ３＝Ｙｍと決定される（ステップＳ３４）。
【００６１】
次に、制御部４１により、操作部４２のマウスの位置に対応する表示部４３のモニタ画面上の位置のＹ座標Ｙｍが、制御点Ｙαより大きいか否かが判断される（ステップＳ３５）。マウス位置のＹ座標Ｙｍが制御点Ｙα以下の場合（ステップＳ３５；ＮＯ）、すなわち、図８（ｄ）に示す領域Ａ１にマウスカーソルＭＣがある場合には、制御部４１により、表示部４３のモニタ画面に表示されているマウスカーソルＭＣが禁止マークに変更され（ステップＳ３６）、補助線の描画が禁止される。
【００６２】
一方、マウス位置のＹ座標Ｙｍが制御点Ｙαより大きい場合には（ステップＳ３５；ＹＥＳ）、マウスカーソルＭＣは通常どおり矢印マークで表示され、補助線の描画が許可される。図８（ｄ）に示すように、マウスカーソルＭＣが第二補助線の終点となる位置に置かれた状態でユーザにより操作部４２のマウスボタンが押下され、第二補助線の終点位置が指定されると（ステップＳ３７；ＹＥＳ）、制御部４１により、マウスボタンが押下された位置のマウス座標（Ｘｍ，Ｙｍ）が取得され、４点目の座標（Ｘ４，Ｙ４）がＸ４＝Ｘｍ、Ｙ４＝Ｙｍと決定される（ステップＳ３８）。
【００６３】
次に、制御部４１により、表示部４３のモニタ画面に表示されている脊椎画像上に、３点目の座標（Ｘ３，Ｙ３）を画像座標系に変換した座標と、４点目の座標（Ｘ４，Ｙ４）を画像座標系に変換した座標とを結ぶ第二補助線が描画される（ステップＳ３９）。
【００６４】
次に、制御部４１により、３点目のＹ座標Ｙ３が４点目のＹ座標Ｙ４より大きいか否かが判断される（ステップＳ４０）。３点目のＹ座標Ｙ３が４点目のＹ座標Ｙ４より大きい場合には（ステップＳ４０；ＹＥＳ）、制御部４１により、制御点ＹβがＹ３に決定される（ステップＳ４１）。制御点Ｙβとは、第三補助線を描画する際に、Ｙ座標がその値より大きい領域でのみ描画を許可する基準となる点である。一方、３点目のＹ座標Ｙ３が４点目のＹ座標Ｙ４以下の場合には（ステップＳ４０；ＮＯ）、制御部４１により、制御点ＹβがＹ４に決定される（ステップＳ４２）。
【００６５】
次に、図６に戻り、制御部４１により、第三補助線描画処理が行われる（ステップＳ１６）。第三補助線描画処理は、脊椎の延在方向に交差する方向の補助線のうち、第二カーブの下位終椎の軸方向下端に沿った補助線を描画する処理である。
【００６６】
ここで、図１０を参照して、第三補助線描画処理を説明する。
まず、制御部４１により、操作部４２のマウスの位置に対応する表示部４３のモニタ画面上の位置のＹ座標Ｙｍが、図９のステップＳ４１又はステップＳ４２で決定された制御点Ｙβより大きいか否かが判断される（ステップＳ５１）。マウス位置のＹ座標Ｙｍが制御点Ｙβ以下の場合（ステップＳ５１；ＮＯ）、すなわち、図８（ｅ）に示す領域Ａ２にマウスカーソルＭＣがある場合には、制御部４１により、表示部４３のモニタ画面に表示されているマウスカーソルＭＣが禁止マークに変更され（ステップＳ５２）、補助線の描画が禁止される。また、制御部４１により、領域Ａ２はモニタ画面の他の領域（補助線の描画を許可する領域）と異なる色で表示される。
【００６７】
一方、マウス位置のＹ座標Ｙｍが制御点Ｙβより大きい場合には（ステップＳ５１；ＹＥＳ）、マウスカーソルＭＣは通常どおり矢印マークで表示され、補助線の描画が許可される。図８（ｅ）に示すように、マウスカーソルＭＣが第三補助線の始点となる位置に置かれた状態でユーザにより操作部４２のマウスボタンが押下され、第三補助線の始点位置が指定されると（ステップＳ５３；ＹＥＳ）、制御部４１により、マウスボタンが押下された位置のマウス座標（Ｘｍ，Ｙｍ）が取得され、５点目の座標（Ｘ５，Ｙ５）がＸ５＝Ｘｍ、Ｙ５＝Ｙｍと決定される（ステップＳ５４）。
【００６８】
次に、制御部４１により、操作部４２のマウスの位置に対応する表示部４３のモニタ画面上の位置のＹ座標Ｙｍが、制御点Ｙβより大きいか否かが判断される（ステップＳ５５）。マウス位置のＹ座標Ｙｍが制御点Ｙβ以下の場合（ステップＳ５５；ＮＯ）、すなわち、図８（ｆ）に示す領域Ａ２にマウスカーソルＭＣがある場合には、制御部４１により、表示部４３のモニタ画面に表示されているマウスカーソルＭＣが禁止マークに変更され（ステップＳ５６）、補助線の描画が禁止される。
【００６９】
一方、マウス位置のＹ座標Ｙｍが制御点Ｙβより大きい場合には（ステップＳ５５；ＹＥＳ）、マウスカーソルＭＣは通常どおり矢印マークで表示され、補助線の描画が許可される。図８（ｆ）に示すように、マウスカーソルＭＣが第三補助線の終点となる位置に置かれた状態でユーザにより操作部４２のマウスボタンが押下され、第三補助線の終点位置が指定されると（ステップＳ５７；ＹＥＳ）、制御部４１により、マウスボタンが押下された位置のマウス座標（Ｘｍ，Ｙｍ）が取得され、６点目の座標（Ｘ６，Ｙ６）がＸ６＝Ｘｍ、Ｙ６＝Ｙｍと決定される（ステップＳ５８）。
【００７０】
次に、制御部４１により、表示部４３のモニタ画面に表示されている脊椎画像上に、５点目の座標（Ｘ５，Ｙ５）を画像座標系に変換した座標と、６点目の座標（Ｘ６，Ｙ６）を画像座標系に変換した座標とを結ぶ第三補助線が描画される（ステップＳ５９）。
【００７１】
次に、図６に戻り、制御部４１により、描画された各補助線の描画順（すなわち、頭尾方向順）において相隣る二つの補助線同士が互いになす角度がコブ角として計測される（ステップＳ１７）。具体的には、制御部４１により、第一補助線と第二補助線とのなす角度が第一カーブのコブ角として計測され、第二補助線と第三補助線とのなす角度が第二カーブのコブ角として計測される。
【００７２】
次に、制御部４１により、表示部４３のモニタ画面に計測結果が表示される（ステップＳ１８）。図８（ｆ）の例では、コブ角の計測に用いる各補助線とともに、第一カーブのコブ角及び第二カーブのコブ角の値が「第一カーブ17.9°  第二カーブ21.2°」と表示されている。
【００７３】
次に、計測結果を保存する場合には（ステップＳ１９；ＹＥＳ）、制御部４１により、描画された各補助線の始点及び終点を示す座標の値がモニタ画面上の座標（モニタ座標）から画像に対応する座標（画像座標）へと変換され、当該変換後の座標の値とともに、計測結果（第一カーブのコブ角及び第二カーブのコブ角の値）が画像サーバ装置３０に送信される（ステップＳ２０）。計測結果を保存しない場合には（ステップＳ１９；ＮＯ）、そのまま処理が終了する。
以上で、画像計測装置４０における処理が終了する。本処理では、脊椎画像に二つの湾曲部が存在する場合を例にして説明したが、湾曲部が三つ以上存在する場合も同様に処理を行うことができる。
【００７４】
以上説明したように、画像計測装置４０によれば、各補助線の頭尾方向に沿う順序と描画順とを一致させることにより、頭尾方向に沿う順序と反する順序での補助線の描画を防ぐので、脊椎画像のコブ角の計測における操作性を向上させることができる。また、各補助線とコブ角との対応関係がわかりやすいため、誤診を防止することができる。
【００７５】
また、表示部４３のモニタ画面の各補助線の描画を禁止する領域では、マウスカーソルを各補助線の描画を許可する領域における表示とは変更するので、マウスカーソルが各補助線の描画を禁止する領域にあることを認識しやすくなる。
【００７６】
また、表示部４３のモニタ画面の各補助線の描画を禁止する領域を、各補助線の描画を許可する領域とは異なる色で表示させるので、各補助線の描画を許可する領域と禁止する領域とを識別可能に表示することができる。
【００７７】
なお、上記実施の形態における記述は、本発明に係る医用画像システムの一例であり、これに限定されるものではない。システムを構成する各装置の細部構成及び細部動作に関しても適宜変更可能である。
【００７８】
例えば、上記実施の形態では、脊椎画像上にコブ角の計測に用いる複数の補助線を描画する際に、表示部４３のモニタ画面に表示された脊椎画像の脊椎の延在方向のうち、頭尾方向に沿う順序でのみ各補助線の描画を許可する場合について説明したが、逆方向（尾頭方向）に沿う順序でのみ各補助線の描画を許可することとしてもよい。
【００７９】
また、上記実施の形態では、表示部４３のモニタ画面の各補助線の描画を禁止する領域では、操作部４２のマウスによる描画位置を示す図形（マウスカーソル）を各補助線の描画を許可する領域における表示とは変更し、かつ、モニタ画面の各補助線の描画を禁止する領域を各補助線の描画を許可する領域とは異なる色で表示させることとしたが、描画を許可するか否かに応じた色分け表示は行わずに、マウスカーソルの変更のみでもよい。また、マウスカーソルの変更は行わずに、色分け表示のみでもよい。
【００８０】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【図面の簡単な説明】
【００８１】
【図１】本発明の実施の形態における医用画像システムのシステム構成図である。
【図２】画像サーバ装置の機能的構成を示すブロック図である。
【図３】画像計測装置の機能的構成を示すブロック図である。
【図４】モニタ画面における座標の取り方を示す図である。
【図５】画像サーバ装置において実行される処理を示すフローチャートである。
【図６】画像計測装置において実行される処理を示すフローチャートである。
【図７】第一補助線描画処理を示すフローチャートである。
【図８】（ａ）は、第一補助線の始点を指定する際の画面例である。（ｂ）は、第一補助線の終点を指定する際の画面例である。（ｃ）は、第二補助線の始点を指定する際の画面例である。（ｄ）は、第二補助線の終点を指定する際の画面例である。（ｅ）は、第三補助線の始点を指定する際の画面例である。（ｆ）は、第三補助線の終点を指定する際の画面例である。
【図９】第二補助線描画処理を示すフローチャートである。
【図１０】第三補助線描画処理を示すフローチャートである。
【図１１】脊椎において湾曲部が二つある場合のコブ角を説明するための図である。
【図１２】脊椎において湾曲部が三つある場合のコブ角を説明するための図である。
【図１３】従来における問題点を説明するための図である。
【符号の説明】
【００８２】
１０  ＲＩＳ
２０  モダリティ
３０  画像サーバ装置
３１  制御部
３２  操作部
３３  表示部
３４  通信部
３５  ＲＯＭ
３６  記憶部
３７  バス
４０  画像計測装置
４１  制御部
４２  操作部
４３  表示部
４４  通信部
４５  ＲＯＭ
４６  記憶部
４７  バス
１００  医用画像システム
Ｎ  ネットワーク
ＭＣ  マウスカーソル
【図１】
0004935728.tif 000002
【図２】
0004935728.tif 000003
【図３】
0004935728.tif 000004
【図４】
0004935728.tif 000005
【図５】
0004935728.tif 000006
【図６】
0004935728.tif 000007
【図７】
0004935728.tif 000008
【図８】
0004935728.tif 000009
【図９】
0004935728.tif 000010
【図１０】
0004935728.tif 000011
【図１１】
0004935728.tif 000012
【図１２】
0004935728.tif 000013
【図１３】
0004935728.tif 000014